(57)【要約】【課題】ゴルフスイングを正確に分析判定することができ、ゴルフスイングの改善効果を向上させることができるゴルフ改善支援システムを提供する。【解決手段】使用者のゴルフスイング時の体動を検出して、当該体動の軌跡に関する検出軌跡情報を取得する情報取得手段を具備する活動量計１と、検出軌跡情報に基づいて使用者のゴルフスイングを改善するための改善情報を生成する情報処理手段を有するセンターサーバ１０１と、改善情報の内容を表示する表示手段を構成する表示装置２とをＬＡＮ２０１，インターネット２０２に接続し、センターサーバ１０１は、活動量計１により取得された検出軌跡情報と、理想の体動軌跡として予め設定された基準軌跡情報とを比較することにより改善情報を生成し、当該改善情報を表示装置２に表示させる。【選択図】図１
2009153856.tif 000002
【特許請求の範囲】
【請求項１】
使用者の体の所定部位に取り付けられてゴルフスイング時の体動を検出し、当該体動の軌跡に関する検出軌跡情報を取得する情報取得手段と、
検出軌跡情報に基づいて使用者のゴルフスイングを改善するための改善情報を生成する情報処理手段と、
改善情報の内容を表示する表示手段とをネットワークに接続し、
情報処理手段は、情報取得手段により取得された検出軌跡情報と、理想の体動軌跡として予め設定された基準軌跡情報とを比較することにより改善情報を生成し、当該改善情報を表示手段に表示させることを特徴とするゴルフ改善支援システム。
【請求項２】
前記情報処理手段は、前記検出軌跡情報を前記基準軌跡情報と対比させて前記表示手段に表示させることを特徴とする請求項１記載のゴルフ改善支援システム。
【請求項３】
前記情報処理手段は、前記検出軌跡情報の履歴を格納する履歴記憶手段を備え、情報取得手段により取得された検出軌跡情報を過去の検出軌跡情報と対比させて前記表示手段に表示させることを特徴とする請求項１記載のゴルフ改善支援システム。
【請求項４】
前記情報処理手段は、前記検出軌跡情報と前記基準軌跡情報との一致度合いに基づいて算出したゴルフスイングの優劣を示す情報を前記表示手段に表示させることを特徴とする請求項１記載のゴルフ改善支援システム。
【請求項５】
前記情報処理手段および表示手段は、前記情報取得手段との通信手段を備えた携帯電話で構成されることを特徴とする請求項１乃至４いずれか記載のゴルフ改善支援システム。
【発明の詳細な説明】
【技術分野】
【０００１】
本発明は、使用者のゴルフスイングを改善するゴルフ改善支援システムに関するものである。
【背景技術】
【０００２】
従来、ゴルフスイングを分析判定するために、ゴルフクラブに加速度センサや光センサ等を取り付けて、実際にこのゴルフクラブでスイングを行い、ゴルフクラブに取り付けた各センサからの信号によって、ゴルフスイングの分析判定を行う装置がある。（例えば、特許文献１参照）。
【特許文献１】特開２００１−１７５９７号公報
【発明の開示】
【発明が解決しようとする課題】
【０００３】
しかし、従来の技術では、ゴルフクラブに加速度センサや光センサ等を取り付ける必要があるので、各センサの重量や取付位置等によって、ゴルフクラブの重心位置や重量バランスが変化して、使用者のゴルフスイングに影響を及ぼし、その結果、ゴルフスイングの分析判定結果の精度も影響を及ぼしていた。したがって、この分析判定結果に基づいてゴルフスイングが改善することは困難であった。
【０００４】
本発明は、上記事由に鑑みてなされたものであり、その目的は、ゴルフスイングを正確に分析判定することができ、ゴルフスイングの改善効果を向上させることができるゴルフ改善支援システムを提供することにある。
【課題を解決するための手段】
【０００５】
請求項１の発明は、使用者の体の所定部位に取り付けられてゴルフスイング時の体動を検出し、当該体動の軌跡に関する検出軌跡情報を取得する情報取得手段と、検出軌跡情報に基づいて使用者のゴルフスイングを改善するための改善情報を生成する情報処理手段と、改善情報の内容を表示する表示手段とをネットワークに接続し、情報処理手段は、情報取得手段により取得された検出軌跡情報と、理想の体動軌跡として予め設定された基準軌跡情報とを比較することにより改善情報を生成し、当該改善情報を表示手段に表示させることを特徴とする。
【０００６】
この発明によれば、ゴルフクラブ自体にセンサを取り付ける必要はなく、情報取得手段を使用者の所定部位に取り付けてゴルフスイングを行うので、ゴルフクラブの重心位置や重量バランスは変化せず、使用者のゴルフスイングに及ぼす影響は少なくなり、情報処理手段ではゴルフスイングを正確に分析判定することができ、この分析判定結果に基づいてゴルフスイングの改善を行えば、改善効果が向上する。
【０００７】
請求項２の発明は、請求項１において、前記情報処理手段は、前記検出軌跡情報を前記基準軌跡情報と対比させて前記表示手段に表示させることを特徴とする。
【０００８】
この発明によれば、基準のゴルフスイングとの差異を視覚的に認識できるので、自己のゴルフスイングの改善を容易に行うことができる。
【０００９】
請求項３の発明は、請求項１において、前記情報処理手段は、前記検出軌跡情報の履歴を格納する履歴記憶手段を備え、情報取得手段により取得された検出軌跡情報を過去の検出軌跡情報と対比させて前記表示手段に表示させることを特徴とする。
【００１０】
この発明によれば、過去のゴルフスイングと最新のゴルフスイングとの差異を視覚的に認識し、ゴルフスイングの改善効果を感じることができる。
【００１１】
請求項４の発明は、請求項１において、前記情報処理手段は、前記検出軌跡情報と前記基準軌跡情報との一致度合いに基づいて算出したゴルフスイングの優劣を示す情報を前記表示手段に表示させることを特徴とする。
【００１２】
この発明によれば、ゲーム感覚で自己のレベルを知ることができるとともに、改善意欲の向上にもつながる。
【００１３】
請求項５の発明は、請求項１乃至４いずれかにおいて、前記情報処理手段および表示手段は、前記情報取得手段との通信手段を備えた携帯電話で構成されることを特徴とする。
【００１４】
この発明によれば、実際のゴルフ場でのスイングや、練習場でのスイングに基づいて、自己のゴルフスイングの改善をリアルタイムで容易に行うことができる。
【発明の効果】
【００１５】
以上説明したように、本発明では、ゴルフスイングを正確に分析判定することができ、ゴルフスイングの改善効果を向上させることができるという効果がある。
【発明を実施するための最良の形態】
【００１６】
以下、本発明の実施の形態を図面に基づいて説明する。
【００１７】
（実施形態）
図１は本発明に係るゴルフ改善支援システムを提供する活動管理サービスの概略構成を示し、個人の住宅Ａにおいてイーサネット（登録商標）によりＬＡＮ２０１が構築され、当該ＬＡＮ２０１が住宅情報盤３内に収納されたブロードバンドルータ３ａを介してＷＡＮを構成するインターネット２０２に接続されている。一方、活動量計、体組成計、他動運動機器を用いた各種の管理プログラムを提供する事業者Ｂには、使用者が自宅で所望の管理プログラムを実行できるようにする後述の活動管理サービスを提供するためのセンターサーバ１０１と、運動プログラムの運動内容を示す動画を配信するための映像配信サーバ１０２が設置されている。ここにおいて、事業者Ｂ側のセンターサーバ１０１と、インターネット２０２と、事業者Ｂが提供する活動管理サービスを利用する住宅Ａ内のＬＡＮ２０１と、使用者が携行する活動量計１と、住宅Ａ内に設置された表示装置２、他動運動機器６、体組成計７、ブロードバンドルータ３ａなどで活動管理システムが構成され、本発明に係るゴルフ改善支援システムはこの活動管理システムが提供する活動管理サービスの１つである。
【００１８】
活動量計１は、図１に示す扁平な装置本体１０に図２に示す回路構成要素を内蔵したもので、装置本体１０を測定対象者の身体の所定部位に装着して使用される。ここで、装置本体１０に内蔵される回路構成要素としては、例えば３軸の加速度センサ１１と、この加速度センサ１１の出力信号をＡ／Ｄ変換して得た検出出力をもとに、当該活動量計１を装着した使用者の運動状態を演算する演算処理部１２と、時刻情報を演算処理部１２に与える計時部１３と、入力操作部１４と、例えばフラッシュメモリなどの不揮発性メモリからなり、演算処理部１２の演算結果や個人の属性情報などを記憶するための記憶部１５と、例えば液晶表示器からなる表示部１６と、ネットアダプタ４との間でBluetoothまたは特定小電力無線を用いた通信を行う通信部１７と、電池ＢＴを電源として各回路要素の動作に必要な所定の電圧を得る定電圧回路１８とを備えている。
【００１９】
入力操作部１４は、当該活動量計１の動作モードをゴルフ計測モード、活動計測モード、情報設定モード、又は、出力表示処理モード等に切り替えるモード切替操作や、表示部１６に表示される表示画面でのカーソル操作や確認操作、或いは、情報設定モードにおいて体動軌跡や活動量の算出に用いる個人の属性情報（例えば使用者識別ＩＤ、年齢、性別、身長、体重、目的、健康状態（既往症歴）、地域）等を入力する情報入力操作に用いられる。
【００２０】
活動量計１の演算処理部１２は、活動量計１に予め組み込まれたプログラムに基づいて、例えば使用者の体動を検出して、その体動軌跡を導出したり、あるいは活動の活動強度、活動量、使用者が歩いた歩数、消費カロリーなどを算出するための情報処理を行うものであり、入力操作部１４を用いて情報設定モードに切り替えられると、表示部１６の表示を制御して情報入力画面を表示させ、当該情報入力画面において、上記属性情報等の入力を使用者に促すためのガイダンスなどを表示させ、入力操作部１４を用いて属性情報等が入力されると、入力情報を記憶部１５に書き込み、以後の演算処理では記憶部１５から読み込んだ属性情報を各種演算に使用するようになっている。
【００２１】
そして演算処理部１２の動作モードが、入力操作部１４を用いてゴルフ計測モードに切り替えられると、演算処理部１２は、加速度センサ１１から入力される加速度の検出出力に基づいて（例えば検出周期２０ｍ秒）、使用者の体動を検出して、その体動軌跡を導出する処理を行うとともに、導出結果を記憶部１５に書き込む処理を行い、且つ、導出結果を表示部１６にリアルタイムで表示するようになっている。
【００２２】
また演算処理部１２の動作モードが、入力操作部１４を用いて活動計測モードに切り替えられると、演算処理部１２は、加速度センサ１１から入力される加速度の検出出力に基づいて（例えば検出周期１２秒）、使用者の活動強度（Mets）や歩数の算出処理を行うとともに、算出結果を記憶部１５に書き込む処理を行い、且つ、算出結果を表示部１６にリアルタイムで表示するようになっている。
【００２３】
さらに演算処理部１２の動作モードが、入力操作部１４を用いて出力表示処理モードに切り替えられると、演算処理部１２は、記憶部１５に記憶されている情報や演算処理結果に基づいて、個人の属性情報や体動軌跡や活動量および歩数の測定結果などを表示部１６に表示させる処理を行う。
【００２４】
表示装置２は、ＬＡＮケーブル２０３を介して、住宅情報盤３内に収納されたブロードバンドルータ３ａに接続されており、インターネット２０２およびＬＡＮ２０１を介して映像配信サーバ１０２から配信された映像を画面２ｂ上に表示するとともに、音声を内蔵スピーカ（図示せず）から出力する。また表示装置２は、リモコン装置２ａから送信される赤外線のような光信号からなるワイヤレス信号を受信するワイヤレス受信部（図示せず）を備え、操作に応じてリモコン装置２ａから送信されたワイヤレス信号をワイヤレス受信部が受信し、当該ワイヤレス信号に応じて表示するチャンネルや音量の切り替えを行ったり、ネットワークを介してセンターサーバ１０１、映像配信サーバ１０２にアクセスし、センターサーバ１０１に蓄積されたＷｅｂページや、映像配信サーバ１０２に蓄積された映像を送信させることができる。
【００２５】
住宅情報盤３は、主幹開閉器および分岐開閉器を内蔵して、宅内の分岐回路に電力を供給するとともに、内蔵するブロードバンドルータ３ａにＬＡＮケーブル２０３を介して表示装置２およびネットアダプタ４が接続されている。
【００２６】
ネットアダプタ４は、ＬＡＮケーブル２０３を介してブロードバンドルータ３ａに接続されるとともに、Bluetoothまたは特定小電力無線を利用して活動量計１や他動運動機器６や体組成計７との間で無線電波によって通信を行うものである。すなわち、ネットアダプタ４の通信可能エリア内に存在する活動量計１や他動運動機器６や体組成計７から、送信元および送信先のＩＤを含む無線電波が送信され、この無線電波をネットアダプタ４が受信すると、無線電波により送信された信号のプロトコル変換を行い、送信先のＩＤが示すネットワーク機器（表示装置２やセンターサーバ１０１など）へ信号を送信する。また、ネットワーク機器（センターサーバ１０１など）から送信先として活動量計１や他動運動機器６や体組成計７が設定された信号が送信されると、ネットアダプタ４が送信された信号のプロトコル変換を行って無線電波に変換し、送信先へ無線電波を送信する。このように、Bluetoothまたは特定小電力無線を利用することにより、ネットアダプタ４と活動量計１や他動運動機器６や体組成計７との通信において、指向性が広がるとともに通信経路に障害物があっても通信可能となり、通信範囲が拡大される。
【００２７】
他動運動機器６は使用者に対して他動的な運動を行わせるものであり、本実施形態では、例えば、使用者が跨いで着座する鞍状の座席部を揺動運動させることによって、乗馬運動を模した運動負荷を与える乗馬型の運動機器を用いている。図３は他動運動機器６の概略的なブロック図を示し、マイクロコンピュータよりなる制御部６１と、鞍状の座席部６２を揺動運動させる駆動部６３と、ネットアダプタ４との間でBluetoothまたは特定小電力無線を用いた通信を行う通信部６４と、操作部６５と、座席部６２を様々なパターンで揺動させるためのプログラムなどを記憶した記憶部６６とを備えている。
【００２８】
体組成計７は、図１に示すように扁平な直方体状の装置本体７０を有し、装置本体７０の上面には、装置本体７０に乗せられた左右の足の足裏がそれぞれ当接する部位に電極部７１ａ，７１ａが配置されるとともに、装置本体７０の左右方向における中央部には測定結果などを表示するための液晶ディスプレイからなる表示部７２が配置されている。
【００２９】
装置本体７０に内蔵される回路構成要素としては、図４に示すように装置本体７０に乗った人の体重を測定する重量センサ７３と、左右の電極部７１ａ，７１ａ間に微弱な電流を流して、人体の電気抵抗（生体インピーダンス）を測定する生体インピーダンス測定部７１と、体組成計７の動作モードを計測モードや設定モード等に切り替える操作や、設定モードにおいて個人の属性情報（例えば年齢、性別、身長など）を入力する操作を行うための入力操作部７４と、生体インピーダンス測定部７１の測定結果をもとに測定対象者の体脂肪率を演算により求めるとともに、表示部７２の表示を制御して重量センサ７３の検出結果や体脂肪率の演算結果を表示部７２の画面に表示させる演算処理部７５と、例えばフラッシュメモリなどの不揮発性メモリからなり、演算処理部７５の演算結果や個人の属性情報などを記憶するための記憶部７６と、ネットアダプタ４との間でBluetoothまたは特定小電力無線を用いた通信を行う通信部７７と、電池を電源として各回路要素の動作に必要な所定の電圧を得る電池電源部７８とを備えている。
【００３０】
センターサーバ１０１は情報処理手段を構成し、図５に示すように中央制御部１０１ａと、ＬＡＮ２０１およびインターネット２０２を介して受け取った各種情報や、中央制御部１０１ａでの演算結果等を格納する取得情報記憶部１０１ｂと、後述する基準軌跡情報を予め格納した基準情報記憶部１０１ｃと、後述する改善ポイント情報を予め格納した改善情報記憶部１０１ｄとを備えており、中央制御部１０１ａは、各種演算機能の他に、画像情報としてＷｅｂコンテンツ（Ｗｅｂページ）を作成し、表示装置２からの要求に応じてＷｅｂページを端末装置に提供（配信）する機能（Ｗｅｂサーバ機能）も有している。
【００３１】
本システムでは、表示装置２が、ＬＡＮケーブル２０３を介してブロードバンドルータ３ａに接続されており、インターネット２０２およびＬＡＮ２０１を介してセンターサーバ１０１から送信されたＷｅｂページを表示したり、映像配信サーバ１０２から配信された映像を画面上に表示することができる。また活動量計１、他動運動機器６、体組成計７はそれぞれネットアダプタ４を介してＬＡＮ２０１に接続されており、ＬＡＮ２０１およびインターネット２０２を介してセンターサーバ１０１に接続されるので、センターサーバ１０１との間で情報の送受信が行えるようになっている。尚、活動量計１、表示装置２、ネットアダプタ４、他動運動機器６および体組成計７にはそれぞれ個別のローカルＩＰアドレスが割り当てられており、ブロードバンドルータ３ａがグローバルＩＰアドレスとローカルＩＰアドレスとの変換を行うようになっている。
【００３２】
ここで、本活動管理システムが提供する活動管理サービスの１つであるゴルフ改善支援システムを住宅Ａ内の使用者が利用する場合について以下に説明する。
【００３３】
まず、使用者は、情報取得手段たる活動量計１を自己の手首にリストバンド等で装着し、入力操作部１４を用いてゴルフ計測モードに切り替えた後、ゴルフスイングを行う。活動量計１の演算処理部１２は、加速度センサ１１から入力される加速度の検出出力に基づいて、使用者の体動（この場合は、ゴルフスイング時の腕の円運動）を検出して、その体動軌跡（この場合は、ゴルフスイング時の腕の円軌跡）を導出する処理を行うとともに、導出結果を記憶部１５に書き込む処理を行う。具体的には、加速度の検出出力を２回積分して位置を算出し、算出した位置を繋ぎ合わせることで、活動量計１が取り付けられた体の部位の時間的な変化を示す体動軌跡を導出している。
【００３４】
したがって、ゴルフクラブ自体にセンサを取り付ける必要はなく、加速度センサ１１を具備した活動量計１を使用者の手首に装着してゴルフスイングを行うので、ゴルフクラブの重心位置や重量バランスは変化せず、上記体動検出構成が使用者のゴルフスイングに及ぼす影響は少ない。
【００３５】
そして、活動量計１は、演算処理部１２の動作モードが、入力操作部１４を用いて情報送信モードに切り替えられると、演算処理部１２は、記憶部１５に記憶されているゴルフスイング時の腕の円軌跡情報（検出円軌跡情報）、および属性情報に含まれている使用者識別ＩＤをローカルＩＰアドレスとともに通信部１７で無線電波に変換してネットアダプタ４へ送信し、ネットアダプタ４からＬＡＮ２０１およびインターネット２０２を介してセンターサーバ１０１へ送信される。
【００３６】
センターサーバ１０１では、活動量計１から受け取った検出円軌跡情報を使用者識別ＩＤに対応付けて取得情報記憶部１０１ｂに格納しており、今回受け取った検出円軌跡情報だけでなく、過去に受け取った検出円軌跡情報の履歴も使用者識別ＩＤに対応付けて格納している。
【００３７】
また、センターサーバ１０１には、活動管理サービスを提供するためのＷｅｂページが予め用意されている。
【００３８】
そして、住宅Ａ内の使用者が、リモコン装置２ａを用いてセンターサーバ１０１にアクセスすると、この操作により表示装置２とセンターサーバ１０１との間でＬＡＮ２０１およびインターネット２０２を介して通信が行われ、使用者に対して提供可能な活動管理サービスを紹介するＷｅｂページが表示装置２の画面２ｂ上に表示される。この時、使用者が、表示装置２に表示された活動管理サービスの一覧から所望のサービスを選択決定し、ゴルフスイングの第１の改善情報提示ファイルを配信させる操作をリモコン装置２ａを用いて行うと、表示装置２からＬＡＮ２０１およびインターネット２０２を介してセンターサーバ１０１へ使用者の第１の改善情報提示ファイルの配信要求が使用者識別ＩＤとともに送信される。
【００３９】
センターサーバ１０１では、基準情報記憶部１０１ｃにゴルフスイング時の理想の腕の円軌跡（基準円軌跡情報）が予め格納されており、上記配信要求を識別ＩＤとともに受け取った中央制御部１０１ａは、取得情報記憶部１０１ｂ内の該当する識別ＩＤに対応した最新の検出円軌跡情報を、基準円軌跡情報と比較する。そして、改善情報記憶部１０１ｄには、基準円軌跡情報に対する検出円軌跡情報の差異に対応付けられたゴルフスイングの改善ポイント情報が予め格納されており、中央制御部１０１ａは、検出円軌跡情報と基準円軌跡情報との比較結果に基づいて、改善情報記憶部１０１ｄからゴルフスイングの改善ポイント情報（例えば、［テイクバックの時間を長くする］、［腕の振りをスムーズな円軌跡にする］、［フォロースルーをもっと大きくする］等）を抽出する。
【００４０】
さらに中央制御部１０１ａは、理想的なゴルフスイングをした場合の基準円軌跡に最新の検出円軌跡を重ね合わせた改善軌跡情報を生成する。ここで、理想的な基準円軌跡としては、理想的なゴルフスイングをシミュレーションして得た軌跡を用いても良いし、予めゴルフスイングに習熟した複数の使用者の体動軌跡を測定し、その体動軌跡をもとに決定（例えば平均処理などを施して決定）した軌跡を用いてもよい。
【００４１】
そして、中央制御部１０１ａは、上記抽出された改善ポイント情報および生成された改善軌跡情報をＷｅｂブラウザ上で表示可能な第１の改善情報提示ファイルとして生成し、この第１の改善情報提示ファイルを要求元の表示装置２へ配信する。
【００４２】
表示装置２は表示手段を構成しており、センターサーバ１０１から受け取った第１の改善情報提示ファイルから、改善ポイント情報および改善軌跡情報を画面２ｂ上に表示し、使用者はこれらの改善情報を見て、ゴルフスイングの改善すべき点や、基準のゴルフスイングとの差異を視覚的に認識できるので、自己のゴルフスイングの改善を容易に行うことができる。
【００４３】
而して、本実施形態では、ゴルフクラブ自体にセンサを取り付ける必要はなく、加速度センサ１１を具備した活動量計１を使用者の手首に装着してゴルフスイングを行うので、ゴルフクラブの重心位置や重量バランスは変化せず、使用者のゴルフスイングに及ぼす影響は少なくなり、センターサーバ１０１ではゴルフスイングを正確に分析判定することができる。したがって、この分析判定結果（改善ポイント情報および改善軌跡情報）に基づいてゴルフスイングの改善を行えば、改善効果が向上する。
【００４４】
また、センターサーバ１０１の取得情報記憶部１０１ｂでは、活動量計１から受け取った検出円軌跡情報の履歴を使用者識別ＩＤ毎に格納しており、使用者が、表示装置２の画面２ｂ上に表示された活動管理サービスの一覧から所望のサービスを選択決定し、ゴルフスイングの第２の改善情報提示ファイルを配信させる操作をリモコン装置２ａを用いて行うと、表示装置２からＬＡＮ２０１およびインターネット２０２を介してセンターサーバ１０１へ使用者の第２の改善情報提示ファイルの配信要求が使用者識別ＩＤとともに送信される。
【００４５】
この配信要求を受け取ったセンターサーバ１０１では、中央制御部１０１ａが、取得情報記憶部１０１ｂ内の該当する使用者識別ＩＤに対応した過去の１乃至複数の検出円軌跡情報に最新の検出円軌跡を重ね合わせた過去軌跡情報を生成し、さらに過去軌跡情報をＷｅｂブラウザ上で表示可能な第２の改善情報提示ファイルとして生成し、この第２の改善情報提示ファイルを要求元の表示装置２へ配信する。
【００４６】
表示装置２では、センターサーバ１０１から受け取った第２の改善情報提示ファイルから、過去軌跡情報を画面２ｂ上に表示し、使用者はこの改善情報を見て、過去のゴルフスイングと最新のゴルフスイングとの差異を視覚的に認識し、ゴルフスイングの改善効果を感じることができる。
【００４７】
さらに、使用者が、表示装置２に表示された活動管理サービスの一覧から所望のサービスを選択決定し、ゴルフスイングの評価提示ファイルを配信させる操作をリモコン装置２ａを用いて行うと、表示装置２からＬＡＮ２０１およびインターネット２０２を介してセンターサーバ１０１へ使用者の評価提示ファイルの配信要求が使用者識別ＩＤとともに送信される。
【００４８】
この配信要求を受け取ったセンターサーバ１０１では、中央制御部１０１ａが、取得情報記憶部１０１ｂ内の該当する使用者識別ＩＤに対応した最新の検出円軌跡情報を基準円軌跡情報と比較して、検出円軌跡情報と基準円軌跡情報との一致度に応じてゴルフスイングの優劣を示す点数情報を１００点満点で生成し、さらに点数情報をＷｅｂブラウザ上で表示可能な点数情報提示ファイルとして生成し、この点数情報提示ファイルを要求元の表示装置２へ配信する。
【００４９】
表示装置２では、センターサーバ１０１から受け取った点数情報提示ファイルから点数情報を画面２ｂ上に表示し、使用者はこの点数情報を見て、ゲーム感覚で自己のレベルを知ることができるとともに、改善意欲の向上にもつながる。
【００５０】
さらに、使用者が、表示装置２に表示された活動管理サービスの一覧から所望のサービスを選択決定し、ゴルフスイング改善用の動画ファイルを配信させる操作をリモコン装置２ａを用いて行うと、表示装置２からＬＡＮ２０１およびインターネット２０２を介してセンターサーバ１０１へ動画ファイルの配信要求が使用者識別ＩＤとともに送信される。
【００５１】
この配信要求を受け取ったセンターサーバ１０１では、中央制御部１０１ａが、取得情報記憶部１０１ｂ内の該当する使用者識別ＩＤに対応した１乃至複数の検出円軌跡情報に基づいて改善情報記憶部１０１ｄからゴルフスイングの改善ポイント情報を抽出し、映像配信サーバ１０２から、当該使用者の改善ポイントに対応した動画ファイルを選択して表示装置２へ配信させる。表示装置２の画面２ｂ上に表示される動画には使用者のゴルフスイングの改善ポイントや、改善方法としての筋力アップ運動、ストレッチ運動や、よいスイング例等が動画で提示され、使用者は、各個人の改善ポイントに応じた動画をみることで、さらなる改善効果を得ることができる。
【００５２】
次に、上記ゴルフ改善支援システムを住宅Ａ外のゴルフ場や練習場等で使用者が利用する場合について以下に説明する。
【００５３】
まず、使用者は、情報取得手段たる活動量計１を自己の手首にリストバンド等で装着し、入力操作部１４を用いてゴルフ計測モードに切り替えた後、ゴルフスイングを行い、活動量計１は上記同様にゴルフスイング時の腕の円運動を検出して、腕の円軌跡を導出する処理を行うとともに、導出結果を記憶部１５に書き込む。
【００５４】
そして、使用者の携帯電話８は、Bluetoothまたは特定小電力無線を用いた通信機能を有しており、活動量計１は、演算処理部１２の動作モードが、入力操作部１４を用いて情報送信モードに切り替えられると、演算処理部１２は、記憶部１５に記憶されているゴルフスイング時の腕の円軌跡情報（検出円軌跡情報）、および属性情報に含まれている使用者識別ＩＤを通信部１７で無線電波に変換して携帯電話８へ送信する。
【００５５】
携帯電話８は、軌跡演算ソフトウェアや改善内容決定ソフトウェアを予めセンターサーバ１０１からダウンロードしており、携帯電話８を操作することで、画面８ａ上にゴルフスイングの改善ポイント情報や、理想的なゴルフスイングをした場合の基準円軌跡に今回の検出円軌跡を重ね合わせた改善軌跡情報や、検出円軌跡情報と基準円軌跡情報との一致度に応じてゴルフスイングの優劣を示す点数情報を表示する。さらには、過去の検出円軌跡情報を複数保存しておき、過去の１乃至複数の検出円軌跡情報に最新の検出円軌跡を重ね合わせた過去軌跡情報を生成して表示することもできる。
【００５６】
而して、携帯電話８は情報処理手段および表示手段を構成しており、上記改善情報（改善ポイント情報、改善軌跡情報、点数情報、過去軌跡情報）を生成して画面８ａ上に表示し、屋外においても使用者はこれらの改善情報を見て、ゴルフスイングの改善すべき点や、基準のゴルフスイングとの差異を視覚的に認識できるので、実際のゴルフ場でのスイングや、練習場でのスイングに基づいて、自己のゴルフスイングの改善をリアルタイムで容易に行うことができる。
【００５７】
さらに、携帯電話８を操作することで、検出円軌跡情報、および属性情報に含まれている使用者識別ＩＤが携帯電話８から移動体通信網およびインターネット２０２を介してセンターサーバ１０１へ送信される。
【００５８】
センターサーバ１０１では、携帯電話８から受け取った検出円軌跡情報を使用者識別ＩＤに対応付けて取得情報記憶部１０１ｂに格納しており、今回受け取った検出円軌跡情報だけでなく、過去に受け取った検出円軌跡情報の履歴も使用者識別ＩＤに対応付けて格納しており、屋外から住宅Ａへ帰宅した使用者は、リモコン装置２ａを用いてセンターサーバ１０１にアクセスすると、この操作により表示装置２とセンターサーバ１０１との間でＬＡＮ２０１およびインターネット２０２を介して通信が行われ、使用者に対して提供可能な活動管理サービスを紹介するＷｅｂページが表示装置２の画面２ｂ上に表示されるので、表示装置２に表示された活動管理サービスの一覧から所望のサービスを選択決定することで上記同様に、表示装置２の画面２ｂ上に、改善ポイント情報、改善軌跡情報、過去軌跡情報、点数情報、当該使用者の改善ポイントに対応した動画を表示させて、ゴルフスイングの改善を図ることができる。
【００５９】
なお、活動量計１の装着位置は使用者の手首に限定されず、例えば腰、頭、肩等でもよく、この場合、基準情報記憶部１０１ｃにはゴルフスイング時の理想の腰、頭、肩等の軌跡（基準軌跡情報）が予め格納されている。
【００６０】
また本実施形態では、活動量計１および表示装置２の台数が１台の場合を例に説明したが、複数台の活動量計１および表示装置２をＬＡＮ２０１に接続しても良く、センターサーバ１０１が複数台の活動量計１（使用者識別ＩＤが互いに異なる）から検出円軌跡情報を取得し、各活動量計１に対応付けられた表示装置２へ第１の改善情報提示ファイル、第２の改善情報提示ファイル、点数情報提示ファイルを送信することによって、複数の使用者が活動量計１を用いたゴルフ改善支援サービスを同時に受けることができる。
【００６１】
また、ネットアダプタ４（図１参照）が、体動検出装置１から送信されたゴルフスイング時の腕の円軌跡情報（検出円軌跡情報）に基づいて使用者のゴルフスイングを改善するための改善情報（改善ポイント情報、改善軌跡情報、点数情報、過去軌跡情報）を生成する情報処理手段を備えて、ゴルフスイング時の体動軌跡等の改善情報を表示装置２の画面２ｂ上に表示させる画面データを作成し、ネットアダプタ４からＬＡＮ２０１を介して表示装置２に当該画面データを送信し、表示装置２では、ＬＡＮ２０１を介して受信した画面データに基づいて、画面２ｂ上に改善情報を表示させてもよい。このようにネットアダプタ４が改善情報を生成する構成では、体動検出装置１で改善情報を生成する場合に比べて演算の処理能力の面で有利であり、さらにセンターサーバ１０１で改善情報を生成する場合に比べて改善情報を表示装置２に表示させる即時性の面で有利である。この場合、携帯電話８から送信されるデータも、ネットアダプタ４宛に送信される。
【図面の簡単な説明】
【００６２】
【図１】実施形態のゴルフ改善支援システムの構成を示す図である。
【図２】同上に用いる活動量計の概略的なブロック図である。
【図３】同上に用いる他動運動機器の概略的なブロック図である。
【図４】同上に用いる体組成計の概略的なブロック図である。
【図５】同上に用いるセンターサーバの概略的なブロック図である。
【符号の説明】
【００６３】
１  活動量計
２  表示装置
３ａ  ブロードバンドルータ
１０１  センターサーバ
２０１  宅内ＬＡＮ
２０２  インターネット
【図１】
2009153856.tif 000003
【図２】
2009153856.tif 000004
【図３】
2009153856.tif 000005
【図４】
2009153856.tif 000006
【図５】
2009153856.tif 000007